(57)【要約】【課題】  リング体の嵌合による袋の保持機能を確実にし、構造を簡易にして製造を容易にするとともに、排泄物によって汚れにくくして、取扱を容易にする。【解決手段】  袋Ｆの開口周縁部Ｆｂが外側に折り返されて形成される折り返し部ＦＴに被覆される上側リング体１０と、上側リング体１０に突設された上側把手１５と、上側リング体１０の外側に下側から嵌合し嵌合時に袋Ｆの折り返し部ＦＴを上側リング体１０とともに挾持する下側リング体２０と、下側リング体２０に突設され上側把手１５に嵌合する下側把手２５とを備え、上側リング体１０に傾斜する外側テーパ面１４を形成し、下側リング体２０に袋Ｆの折り返し部ＦＴを介して外側テーパ面１４に接合する内テーパ面２３を形成した。【選択図】  図１
2010088366.tif 000002
【特許請求の範囲】
【請求項１】
袋をその開口を開放状態にして保持し該袋内に動物の排泄物を収容する動物用排泄物取具において、
上記袋が通され該袋の開口周縁部が外側に折り返されて形成される折り返し部に被覆されて該袋を支持するリング状の上側リング体と、該上側リング体に突設された上側把手と、該上側リング体の外側に下側から嵌合し嵌合時に上記袋の折り返し部を上記上側リング体とともに挾持して該上側リング体に対して押さえるリング状の下側リング体と、該下側リング体に突設され該下側リング体の上記上側リング体に対する嵌合時に上記上側把手に接合する下側把手とを備え、
上記上側リング体を、開口を形成する上側環部と、該上側環部の下側に一体形成され該上側環部の中心軸に向けて傾斜する内側テーパ面及び外側テーパ面を有した上側筒部とを備えて構成し、
上記下側リング体を、上記上側環部の下側に位置し開口を形成する下側環部と、該下側環部の下側に一体形成され該下側環部の中心軸に向けて傾斜するとともに上記袋の折り返し部を介して上記上側筒部の外側テーパ面に接合する内テーパ面を有した下側筒部とを備えて構成したことを特徴とする動物用排泄物取具。
【請求項２】
上記下側リング体の少なくとも下側筒部の内テーパ面を、ゴムで被覆したことを特徴とする請求項１記載の動物用排泄物取具。
【請求項３】
上記上側把手の下側に嵌合凹部を形成し、上記下側把手の上側に、上記下側リング体の上記上側リング体に対する嵌合時に上記上側把手の嵌合凹部に嵌合する嵌合凸部を形成したことを特徴とする請求項１または２記載の動物用排泄物取具。
【請求項４】
上記上側把手及び下側把手の夫々に、上記下側リング体の上記上側リング体に対する嵌合時に互いに磁着するマグネットを設けたことを特徴とする請求項１乃至３何れかに記載の動物用排泄物取具。
【請求項５】
上記上側リング体の上側環部の外径をＤＡとし、上記下側リング体の下側環部の外径をＤＢとしたとき、ＤＢ≦ＤＡに設定したことを特徴とする請求項１乃至４何れかに記載の動物用排泄物取具。
【請求項６】
上記上側把手及び下側把手を、これらの軸線が上記上側リング体及び下側リング体の開口の面方向に平行になるように設けたことを特徴とする請求項１乃至５何れかに記載の動物用排泄物取具。
【請求項７】
上記上側リング体の上側環部の開口の内径をＲとしたとき、少なくとも、Ｒ＝１５０±２０ｍｍの上側リング体及びこれに嵌合する下側リング体の組と、Ｒ＝１００±２０ｍｍの上側リング体及びこれに嵌合する下側リング体の組との２種類の組を設けたことを特徴とする請求項１乃至６何れかに記載の動物用排泄物取具。
【請求項８】
上記上側リング体と下側リング体との組において、色違いの組を設けたことを特徴とする請求項１乃至７何れかに記載の動物用排泄物取具。
【請求項９】
上記下側リング体の外側面に、文字，図形，記号，模様及びこれらの結合並びにこれらと色彩との結合のうち少なくともいずれかを付したことを特徴とする請求項１乃至８何れかに記載の動物用排泄物取具。
【発明の詳細な説明】
【技術分野】
【０００１】
本発明は、主に、ペットとしての動物の排泄物取具に係り、特に、動物が排泄する固形の排泄物を直接受けて収容する動物用排泄物取具に関する。
【背景技術】
【０００２】
従来、この種の動物用排泄物取具としては、例えば、特許文献１（実開平０６−８４８４２号公報）に記載されたものが知られている。
図８及び図９に示すように、この動物用排泄物取具Ｔａは、ポリエチレンなどの樹脂製や紙製の袋Ｆをその開口Ｆａを開放状態にして保持し袋Ｆ内に動物の排泄物Ｂを直接受けて収容するもので、受台１００に設けられ袋Ｆが通され袋Ｆの開口周縁部Ｆｂが外側に折り返されて形成される折り返し部ＦＴに被覆されて袋Ｆを支持するリング状の第１リング体１０１と、受台１００に回動可能に設けられ回動させられて第１リング体１０１の外側に上側から嵌合し嵌合時に袋Ｆの折り返し部ＦＴを第１リング体１０１とともに挾持して第１リング体１０１に対して押さえるリング状の第２リング体１０２と、受台１００に傾斜して突設された把手１０３とを備えて構成されている。第１リング体１０１の外周及び第２リング体１０２の内周には、夫々互いに位相の異なるリブ１０４，１０５が突設されている。
【０００３】
この動物用排泄物取具Ｔａを使用するには、例えば、犬などのペットとの散歩の際に、動物用排泄物取具Ｔａに予め袋Ｆを装着しておいて携行する。袋Ｆの装着は、例えば、袋としてスーパーマーケットなどで使用されているポリエチレンなどの樹脂製の袋Ｆを用い、先ず、この袋Ｆを第１リング体１０１に通し、袋Ｆの開口周縁部Ｆｂを外側に折り返し、これにより形成される折り返し部ＦＴで、第１リング体１０１を被覆する。次に、第２リング体１０２を回動させ第１リング体１０１の外側に上側から嵌合させて折り返し部ＦＴを第１リング体１０１とともに挾持して第１リング体１０１に対して押さえる。これにより、袋Ｆの折り返し部ＦＴが第１リング体１０１の外周及び第２リング体１０２の内周にあるリブ１０４，１０５に滑り止めされて支持される。
【０００４】
そして、動物が排泄を行うときに、把手１０３を持って動物の排泄部位の下方に袋Ｆの開口Ｆａを位置させ、動物からの排泄物Ｂを袋Ｆ内に受けるようにする。この排泄物Ｂを捨てるときは、第２リング体１０２を回動させて第１リング体１０１から外し、袋Ｆを第１リング体１０１から取外して処分するようにする。
【０００５】
【特許文献１】実開平０６−８４８４２号公報
【発明の開示】
【発明が解決しようとする課題】
【０００６】
ところで、この従来の動物用排泄物取具Ｓａにあっては、第２リング体１０２を回動させて第１リング体１０１の外側に上側から嵌合して袋Ｆを挾持するが、回動機構を設けなければならないので、それだけ、動物用排泄物取具Ｓａの構造が複雑になり、製造が煩雑になるという問題がある。また、第１リング体１０１の外周及び第２リング体１０２の内周にあるリブ１０４，１０５により袋Ｆの滑り止めを行っているが、第１リング体１０１の内径と第２リング体１０２の内径の精密度が要求され、この点でも製造が煩雑になっているという問題もある。更に、図９に示すように、第２リング体１０２を第１リング体１０１の外側に上側から嵌合させているので、第２リング体１０２の開口縁部１０２ａが露出することから、排泄の際に、この開口縁部１０２ａに排泄物Ｂが付着して汚れやすくなるという問題もある。
【０００７】
本発明は上記の問題点に鑑みて為されたもので、リング体の嵌合による袋の保持機能を確実にし、構造を簡易にして製造を容易にするとともに、排泄物によって汚れにくくして、取扱を容易にした動物用排泄物取具を提供することを目的とする。
【課題を解決するための手段】
【０００８】
このような目的を達成するための本発明の動物用排泄物取具は、袋をその開口を開放状態にして保持し該袋内に動物の排泄物を収容する動物用排泄物取具において、
上記袋が通され該袋の開口周縁部が外側に折り返されて形成される折り返し部に被覆されて該袋を支持するリング状の上側リング体と、該上側リング体に突設された上側把手と、該上側リング体の外側に下側から嵌合し嵌合時に上記袋の折り返し部を上記上側リング体とともに挾持して該上側リング体に対して押さえるリング状の下側リング体と、該下側リング体に突設され該下側リング体の上記上側リング体に対する嵌合時に上記上側把手に接合する下側把手とを備え、
上記上側リング体を、開口を形成する上側環部と、該上側環部の下側に一体形成され該上側環部の中心軸に向けて傾斜する内側テーパ面及び外側テーパ面を有した上側筒部とを備えて構成し、
上記下側リング体を、上記上側環部の下側に位置し開口を形成する下側環部と、該下側環部の下側に一体形成され該下側環部の中心軸に向けて傾斜するとともに上記袋の折り返し部を介して上記上側筒部の外側テーパ面に接合する内テーパ面を有した下側筒部とを備えて構成している。
【０００９】
これにより、この動物用排泄物取具を使用するには、例えば、犬などのペットとの散歩の際に、動物用排泄物取具に予め袋を装着しておいて携行する。袋の装着は、例えば、袋としてスーパーマーケットなどで使用されているポリエチレンなどの樹脂製の袋を用い、先ず、この袋を上側リング体に通し、袋の開口周縁部を外側に折り返し、これにより形成される折り返し部で、上側リング体を被覆する。次に、下側リング体を袋の下側から挿通し、上側リング体の外側に下側から嵌合させて折り返し部を上側リング体とともに挾持して上側リング体に対して押さえる。この場合、袋の折り返し部が上側リング体の外側テーパ面及び下側リング体の内テーパ面に挾持されるので、その押さえが確実になる。また、上側把手と下側把手とが接合するとともに、この上側把手と下側把手とを重ねて把持することになるので、上側リング体と下側リング体との押さえが強固になり、それだけ、袋の押さえが確実になる。更に、テーパ面同士が接合して嵌合するので、テーパ面は斜めになっていることから、嵌合しやすくなっており、操作性が向上させられる。
【００１０】
そして、動物が排泄を行うときには、上側把手と下側把手とを重ねて把持し、動物の排泄部位の下方に袋の開口を位置させ、動物からの排泄物を袋内に受けるようにする。この場合、しばしば、排泄物が上側リング体の開口にぶつかる場合があるが、上側リング体は袋の開口周縁部を外側に折り返した折り返し部で被覆されているので、上側リング体自体が汚れる事態が防止され、それだけ、取扱が容易になる。また、この場合、下側リング体は、上側リング体の外側に下側から嵌合し、下側環部が上側環部の下側に位置しているので、下側環部が袋の折り返し部によってある程度覆われることになり、そのため、下側リング体の下側環部が汚れる事態も抑止され、この点でも取扱が容易になる。
【００１１】
排泄物が袋内に収容されたならば、例えば、上側リング体及び下側リング体を上側把手及び下側把手を回転軸として、３６０度回転させる。これにより、袋の上側が上側リング体及び下側リング体を挟んで折り畳まれ、上側リング体に袋の中間部が掛け渡されるようになるとともに、この上側リング体に掛け渡された袋の中間部に、排泄物が溜まった袋の底部を載せるようにすることができる。このようにすると、袋の開口を閉じることができるので、排泄物が覆い隠され、排泄物の臭いが漏れ出る事態が防止される。
袋内に収容した排泄物を捨てるときは、下側リング体を上側リング体から外し、袋をこの上側リング体から取外して処分するようにする。
【００１２】
また、本発明においては、上側リング体に上側把手を突設した形状と、下側リング体に下側把手を突設した形状とは、比較的単純な形状であり、従来のようにヒンジ機構もないことから、構造がきわめて簡単であり、そのため、樹脂などの成形により、製造を容易に行うことができる。また、上側リング体及び下側リング体のテーパ面同士が接合する構造なので、従来のようにリングの直径の精密度がさほど要求されないことから、この点でも製造を容易に行うことができる。
【００１３】
そして、必要に応じ、上記下側リング体の少なくとも下側筒部の内テーパ面を、ゴムで被覆した構成としている。これにより、内テーパ面のゴムによって袋が押さえられるので、袋との摩擦抵抗が増し、そのため、袋がずれにくくなり、この点でも、上側リング体と下側リング体との押さえが強固になり、それだけ、袋の押さえが確実になる。
【００１４】
また、必要に応じ、上記上側把手の下側に嵌合凹部を形成し、上記下側把手の上側に、上記下側リング体の上記上側リング体に対する嵌合時に上記上側把手の嵌合凹部に嵌合する嵌合凸部を形成している。上側リング体と下側リング体との嵌合時に、上側把手の嵌合凹部と、下側把手の嵌合凸部とが嵌合するので、上側リング体と下側リング体とのずれが確実に防止されて押さえが強固になり、それだけ、袋の押さえが確実になる。
【００１５】
更に、必要に応じ、上記上側把手及び下側把手の夫々に、上記下側リング体の上記上側リング体に対する嵌合時に互いに磁着するマグネットを設けた構成としている。上側リング体と下側リング体との嵌合時に、上側把手及び下側把手のマグネットが互いに磁着するので、上側リング体と下側リング体とのずれが確実に防止されて押さえが強固になり、より一層袋の押さえが確実になる。
【００１６】
更にまた、必要に応じ、上記上側リング体の上側環部の外径をＤＡとし、上記下側リング体の下側環部の外径をＤＢとしたとき、ＤＢ≦ＤＡに設定した構成としている。下側リング体の下側環部が上側リング体の上側環部から外側に出っ張ることがなくなることから、下側リング体の下側環部が袋の折り返し部によって覆われやすくなり、そのため、排泄物が上側リング体の開口にぶつかることがあっても、下側リング体が汚れる事態を確実に抑止することができる。
【００１７】
また、必要に応じ、上記上側把手及び下側把手を、これらの軸線が上記上側リング体及び下側リング体の開口の面方向に平行になるように設けた構成としている。上述したように、排泄物が袋内に収容されたならば、例えば、上側リング体及び下側リング体を上側把手及び下側把手を回転軸として、３６０度回転させ、袋の上側を上側リング体及び下側リング体を挟んで折り畳んで、上側リング体に掛け渡された袋の中間部に、排泄物が溜まった袋の底部を載せるようにすることができるが、この場合、上側把手及び下側把手の軸線が上側リング体及び下側リング体の開口の面方向に平行になるように設けられているので、従来のように、把手がリング体に対して傾斜している場合に比較して、回転させやすく、そのため、操作性が向上させられる。
【００１８】
更に、必要に応じ、上記上側リング体の上側環部の開口の内径をＲとしたとき、少なくとも、Ｒ＝１５０±２０ｍｍの上側リング体及びこれに嵌合する下側リング体の組と、Ｒ＝１００±２０ｍｍの上側リング体及びこれに嵌合する下側リング体の組との２種類の組を設けた構成としている。これにより、動物がペットの犬である場合、開口の大きい大型犬用と、開口の小さい小型犬用との２種類の動物用排泄物取具を用意できるので、それだけ汎用性を向上させることができる。
【００１９】
更にまた、上記上側リング体と下側リング体との組において、色違いの組を設けた構成としている。これにより、例えば、ペットが複数いるような場合に、色分けに応じて、各ペット専用の動物用排泄物取具を用意でき、例えば、雄用，雌用に分けるなどすることができ、それだけ便利になる。
また、必要に応じ、上記下側リング体の外側面に、文字，図形，記号，模様及びこれらの結合並びにこれらと色彩との結合のうち少なくともいずれかを付した構成としている。下側リング体の外側面は、側方に露出するが、この外側面に模様などが付されることになるので、デザイン的に面白く、外観品質が向上させられる。特に、持ち運びの際に、排泄物の比較的汚いイメージを払拭でき、それだけ、携帯する者や周囲の人の気持ちをやわらげて楽しくすることができるなどの効果を奏する。
【発明の効果】
【００２０】
本発明の動物用排泄物取具によれば、袋を装着した際、袋の折り返し部が上側リング体の外側テーパ面及び下側リング体の内テーパ面に挾持されるので、その押さえを確実にすることができる。また、上側把手と下側把手とが接合するとともに、この上側把手と下側把手とを重ねて把持することになるので、上側リング体と下側リング体との押さえが強固になり、この点でも、袋の押さえを確実にすることができる。更に、上側リング体及び下側リング体は、テーパ面同士が接合して嵌合するので、テーパ面は斜めになっていることから、嵌合しやすくなっており、そのため、操作性を向上させることができる。
【００２１】
また、排泄物が上側リング体の開口にぶつかる場合があるが、上側リング体は袋の開口周縁部を外側に折り返した折り返し部で被覆されているので、上側リング体自体が汚れる事態を防止することができるとともに、下側リング体も上側リング体の外側に下側から嵌合し、下側環部が上側環部の下側に位置しているので、袋の折り返し部によってある程度覆われることになり、そのため、下側リング体も汚れる事態を抑止することができ、そのため、汚れの拭き取りなどがほとんどなくなることから、取扱を容易にすることができる。
【００２２】
更に、本発明においては、上側リング体に上側把手を突設した形状と、下側リング体に下側把手を突設した形状とは、比較的単純な形状であり、従来のようにヒンジ機構もないことから、構造がきわめて簡単であり、そのため、樹脂などの成形により、製造を容易に行うことができる。また、上側リング体及び下側リング体のテーパ面同士が接合する構造なので、従来のようにリングの直径の精密度がさほど要求されないことから、この点でも製造を容易に行うことができる。
【発明を実施するための最良の形態】
【００２３】
以下、添付図面に基づいて、本発明の実施の形態に係る動物用排泄物取具について詳細に説明する。
図１乃至図７に示すように、本発明の実施の形態に係る動物用排泄物取具Ｔは、例えば、袋Ｆとしてスーパーマーケットなどで使用されているポリエチレンなどの樹脂製の袋Ｆや紙製の袋Ｆを、その開口Ｆａを開放状態にして保持し、袋Ｆ内に動物の主に便からなる排泄物Ｂを収容できるようにしたものであり、基本的構成は、樹脂製の上側リング体１０と、樹脂製の下側リング体２０とからなる。
【００２４】
上側リング体１０は、袋Ｆが通されこの袋Ｆの開口周縁部Ｆｂが外側に折り返されて形成される折り返し部ＦＴに被覆されてこの袋Ｆを支持するリング状に形成されている。詳しくは、上側リング体１０は、開口を形成する上側環部１１と、上側環部１１の内周側の下側に一体形成され上側環部１１の中心軸に向けて傾斜する内側テーパ面１３及び外側テーパ面１４を有した上側筒部１２とを備えて構成されている。
【００２５】
上側リング体１０の上側環部１１には、樹脂製の上側把手１５が一体に突設されている。上側把手１５は、図３に示すように、その長さＭが、８０ｍｍ≦Ｍ≦１５０ｍｍに設定され、その軸線Ｑが上側リング体１０の上側環部１１の開口の面方向に平行になるように設けられている。上側把手１５の下側には、長手方向に沿って、後述の下側把手２５の嵌合凸部２６が嵌合する嵌合凹部１６が形成されている。また、上側把手１５内には、下側リング体２０の上側リング体１０に対する嵌合時に後述の下側把手２５に設けたマグネット２７に磁着するマグネット１７が埋設されている。上側リング体１０及び上側把手１５は、例えば、樹脂成形機により一体成形されて製造される。
【００２６】
下側リング体２０は、上側リング体１０の外側に下側から嵌合し嵌合時に袋Ｆの折り返し部ＦＴを上側リング体１０とともに挾持して、上側リング体１０に対して押さえ得るようにリング状に形成されている。詳しくは、下側リング体２０は、上側環部１１の下側に位置し開口を形成する下側環部２１と、下側環部２１の内周側の下側に一体形成され下側環部２１の中心軸Ｐに向けて傾斜するとともに袋Ｆの折り返し部ＦＴを介して上側筒部１２の外側テーパ面１４に接合する内テーパ面２３を有した下側筒部２２とを備えて構成されている。図２に示すように、外側テーパ面１４及び内テーパ面２３とは、その傾斜角度θを同一にしている。下側筒部２２の外側面も傾斜形成され外テーパ面２４を構成する。尚、下側筒部２２の外側面は、特に、傾斜形成しなくても良い。
【００２７】
また、図２に示すように、上側リング体１０の上側環部１１の外径をＤＡとし、下側リング体２０の下側環部２１の外径をＤＢとしたとき、ＤＢ≦ＤＡに設定されている。これにより、下側リング体２０の下側環部２１は、上側リング体１０の上側環部１１の下方に位置し、上から見て、上側リング体１０の上側環部１１から出っ張ることはない。
【００２８】
更に、下側リング体２０の下側環部２１には、下側リング体２０の上側リング体１０に対する嵌合時に上側把手１５に接合する樹脂製の下側把手２５が一体に突設されている。下側把手２５は、図３に示すように、その長さＭが、上側リング体１０と同様に、８０ｍｍ≦Ｍ≦１５０ｍｍに設定され、その軸線Ｑが下側リング体２０の下側環部２１の開口の面方向に平行になるように設けられている。下側把手２５の上側には、長手方向に沿って、下側リング体２０の上側リング体１０に対する嵌合時に上記の上側把手１５の嵌合凹部１６に嵌合する嵌合凸部２６が形成されている。また、下側把手２５内には、下側リング体２０の上側リング体１０に対する嵌合時に上記の上側把手１５に設けたマグネット１７に磁着するマグネット２７が埋設されている。即ち、上側把手１５及び下側把手２５の夫々に、下側リング体２０の上側リング体１０に対する嵌合時に互いに磁着するマグネット１７，２７が設けられている。下側リング体２０及び下側把手２５は、例えば、樹脂成形機により一体成形されて製造される。
【００２９】
更にまた、図２及び図５に示すように、下側リング体２０の少なくとも下側筒部２２の内テーパ面２３は、ゴム２８で被覆されている。実施の形態では、下側リング体２０の全部が、ゴム２８で被覆されている。ゴム２８としては、例えば、シリコーンゴムなどが選択され、摩擦抵抗の比較的高いものが好ましい。
【００３０】
また、上側リング体１０の寸法は、図２に示すように、上側リング体１０の高さをＨ、上側リング体１０の上側環部１１の開口の内径をＲ、上側リング体１０の上側筒部１２の下開口の内径をＬ、上記のとおり、上側リング体１０の上側環部１１の外径をＤＡとしたとき、例えば、
１０ｍｍ≦Ｈ≦５０ｍｍ
８０ｍｍ≦Ｒ≦２００ｍｍ
ＤＡ＝Ｒ＋（５ｍｍ〜５０ｍｍ）
Ｌ＝Ｒ−（５ｍｍ〜５０ｍｍ）
に設定される。
そして、下側リング体２０の寸法においては、上側リング体１０に嵌合するように、上記の上側リング体１０の寸法に合わせて、略同程度の寸法範囲に設定される。また、上側筒部１２及び下側筒部２２の厚さは、１ｍｍ〜３ｍｍである。
【００３１】
特に、実施の形態において、動物用排泄物取具Ｔとして、上側リング体１０の上側環部１１の開口の内径をＲとしたとき、少なくとも、Ｒ＝１５０±２０ｍｍの上側リング体１０及びこれに嵌合する下側リング体２０の組と、Ｒ＝１００±２０ｍｍの上側リング体１０及びこれに嵌合する下側リング体２０の組との２種類の組を設けている。これにより、動物がペットの犬である場合、開口の大きい大型犬用と、開口の小さい小型犬用との２種類を用意できるので、それだけ汎用性を向上させることができる。尚、開口の内径Ｒは、これに限らず、適宜に設定して良い。
【００３２】
更に、実施の形態において、動物用排泄物取具Ｔとして、上側リング体１０と下側リング体２０との組において、色違いの組を設けている。色は、下側リング体２０に被覆するゴム２８に着色して付している。例えば、下側リング体２０として、赤色のもの、青色のものを設ける。これにより、例えば、ペットが複数いるような場合に、色分けに応じて、各ペット専用の動物用排泄物取具Ｔを用意でき、例えば、雄用（例えば赤色のもの），雌用（例えば青色のもの）に分けるなどすることができ、それだけ便利になる。
更にまた、実施の形態においては、下側リング体１０の外側面に、文字，図形，記号，模様及びこれらの結合並びにこれらと色彩との結合のうち少なくともいずれかを付すことができる。下側リング体１０の外側面は、側方に露出するが、この外側面に模様などが付されることになるので、デザイン的に面白く、外観品質が向上させられる。特に、持ち運びの際に、排泄物の比較的汚いイメージを払拭でき、それだけ、携帯する者や周囲の人の気持ちをやわらげて楽しくすることができるなどの効果を奏する。
【００３３】
従って、本実施の形態に係る動物用排泄物取具Ｔによれば、例えば、犬などのペットとの散歩の際に、動物用排泄物取具Ｔに予め袋Ｆを装着しておいて携行する。袋Ｆの装着は、例えば、袋Ｆとしてスーパーマーケットなどで使用されているポリエチレンなどの樹脂製の袋Ｆを用い、先ず、図１及び図３に示すように、この袋Ｆを上側リング体１０に通し、袋Ｆの開口周縁部Ｆｂを外側に折り返し、これにより形成される折り返し部ＦＴで、上側リング体１０を被覆する。次に、図３及び図４に示すように、下側リング体２０を袋Ｆの下側から挿通し、上側リング体１０の外側に下側から嵌合させて折り返し部ＦＴを上側リング体１０とともに挾持して上側リング体１０に対して押さえる。また、このとき、図３及び図６に示すように、上側把手１５と下側把手２５とを密着させ、上側把手１５の嵌合凹部１６と、下側把手２５の嵌合凸部２６とを嵌合する。この際、上側リング体１０及び下側リング体２０は、テーパ面同士が接合して嵌合するので、テーパ面は斜めになっていることから、嵌合しやすくなっており、操作性が向上させられる。
【００３４】
この場合、袋Ｆの折り返し部ＦＴが上側リング体１０の外側テーパ面１４及び下側リング体２０の内テーパ面２３に挾持されるので、その押さえが確実になる。特に、図５に示すように、下側リング体２０の下側筒部２２の内テーパ面２３がゴム２８で被覆されているので、この内テーパ面２３のゴム２８によって袋Ｆが押さえられることになり、袋Ｆとの摩擦抵抗が増し、そのため、袋Ｆがずれにくくなり、この点でも、上側リング体１０と下側リング体２０との押さえが強固になり、それだけ、袋Ｆの押さえが確実になる。
【００３５】
また、図３及び図６に示すように、上側把手１５と下側把手２５とが接合するとともに、上側把手１５の嵌合凹部１６と、下側把手２５の嵌合凸部２６とが嵌合するので、上側リング体１０と下側リング体２０とのずれが確実に防止されて押さえが強固になり、それだけ、袋Ｆの押さえが確実になる。更に、上側把手１５及び下側把手２５のマグネット１７，２７が互いに磁着するので、上側リング体１０と下側リング体２０とのずれが確実に防止されて押さえが強固になり、より一層袋Ｆの押さえが確実になる。更にまた、この上側把手１５と下側把手２５とを重ねて把持することになるので、上側リング体１０と下側リング体２０との押さえが強固になり、それだけ、袋Ｆの押さえが確実になる。
【００３６】
そして、動物が排泄を行うときには、上側把手１５と下側把手２５とを重ねて把持し、動物の排泄部位の下方に袋Ｆの開口を位置させ、動物からの排泄物Ｂを袋Ｆ内に受けるようにする。この場合、しばしば、排泄物Ｂが上側リング体１０の開口にぶつかる場合があるが、上側リング体１０は袋Ｆの開口周縁部を外側に折り返した折り返し部ＦＴで被覆されているので、上側リング体１０自体が汚れる事態が防止され、それだけ、取扱が容易になる。また、この場合、下側リング体２０は、上側リング体１０の外側に下側から嵌合し、下側環部２１が上側環部１１の下側に位置しているので、袋Ｆの折り返し部ＦＴによってある程度覆われることになり、そのため、下側リング体２０が汚れる事態も抑止され、この点でも取扱が容易になる。特に、上側リング体１０の上側環部１１の外径ＤＡと下側リング体２０の下側環部２１の外径ＤＢとの関係が、ＤＢ≦ＤＡに設定されているので、下側リング体２０の下側環部２１が上側リング体１０の上側環部１１から外側に出っ張ることがなくなることから、下側リング体２０の下側環部２１が袋Ｆの折り返し部ＦＴによって覆われやすくなり、そのため、排泄物Ｂが上側リング体１０の開口にぶつかることがあっても、下側リング体２０が汚れる事態を確実に抑止することができる。
【００３７】
排泄物Ｂが袋Ｆ内に収容されたならば、図７に示すように、例えば、上側リング体１０及び下側リング体２０を上側把手１５及び下側把手２５を回転軸（軸線Ｑ）として、３６０度回転させる。これにより、袋Ｆの上側が上側リング体１０及び下側リング体２０を挟んで折り畳まれ、上側リング体１０に袋Ｆの中間部が掛け渡されるようになるとともに、この上側リング体１０に掛け渡された袋Ｆの中間部に、排泄物Ｂが溜まった袋Ｆの底部を載せるようにすることができる。この場合、上側把手１５及び下側把手２５の軸線Ｑが上側リング体１０及び下側リング体２０の開口の面方向に平行になるように設けられているので、従来のように、把手がリング体に対して傾斜している場合に比較して、回転させやすく、そのため、操作性が向上させられる。この結果、袋Ｆの開口を閉じることができるので、排泄物Ｂが覆い隠され、排泄物Ｂの臭いが漏れ出る事態が防止される。
そして、袋Ｆ内に収容した排泄物Ｂを捨てるときは、下側リング体２０を上側リング体１０から外し、袋Ｆをこの上側リング体１０から取外して処分するようにする。
【００３８】
また、本実施の形態に係る動物用排泄物取具Ｔにおいて、上側リング体１０に上側把手１５を突設した形状と、下側リング体２０に下側把手２５を突設した形状とは、比較的単純な形状であり、従来のようにヒンジ機構もないことから、構造がきわめて簡単であり、そのため、樹脂などの成形により、製造を容易に行うことができる。また、上側リング体１０及び下側リング体２０のテーパ面同士が接合する構造なので、従来のようにリングの直径の精密度がさほど要求されないことから、この点でも製造を容易に行うことができる。
【００３９】
尚、本発明の実施の形態においては、樹脂で形成したが、必ずしもこれに限定されるものではなく、金属や紙などどのような材質のものでも良く、適宜変更して差支えない。
【図面の簡単な説明】
【００４０】
【図１】本発明の実施の形態に係る動物用排泄物取具を示す分解斜視図である。
【図２】本発明の実施の形態に係る動物用排泄物取具を示し、（ａ）は上側リング体を示す断面図、（ｂ）は下側リング体を示す断面図である。
【図３】本発明の実施の形態に係る動物用排泄物取具を袋の取付け状態で示す断面図である。
【図４】本発明の実施の形態に係る動物用排泄物取具を袋の取付け状態で示す斜視図である。
【図５】本発明の実施の形態に係る動物用排泄物取具を袋の取付け状態で示す要部断面図である。
【図６】本発明の実施の形態に係る動物用排泄物取具の把手の接合状態を示す断面図である。
【図７】本発明の実施の形態に係る動物用排泄物取具の使用例を示す図である。
【図８】従来の動物用排泄物取具の一例を示す斜視図である。
【図９】従来の動物用排泄物取具の袋の取付け状態を示す断面図である。
【符号の説明】
【００４１】
Ｔ  動物用排泄物取具
Ｆ  袋
Ｆａ  開口
Ｆｂ  開口周縁部
ＦＴ  折り返し部
１０  上側リング体
１１  上側環部
１２  上側筒部
１３  内側テーパ面
１４  外側テーパ面
１５  上側把手
１６  嵌合凹部
１７  マグネット
２０  下側リング体
２１  下側環部
２２  下側筒部
２３  内テーパ面
２４  外テーパ面
２５  下側把手
２６  嵌合凸部
２７  マグネット
２８  ゴム
【図１】
2010088366.tif 000003
【図２】
2010088366.tif 000004
【図３】
2010088366.tif 000005
【図４】
2010088366.tif 000006
【図５】
2010088366.tif 000007
【図６】
2010088366.tif 000008
【図７】
2010088366.tif 000009
【図８】
2010088366.tif 000010
【図９】
2010088366.tif 000011